(57)【要約】【課題】後付け用電気錠の導入にかかる施工コストを抑える。【解決手段】ドア袖部に、開閉可能に設けられるドア本体に固定される掛留子２と、ドア袖部に固定されるフレーム４とを備えている。フレームには、第１のピン８に枢着され第１のねじりコイルばねＳ１で第１の停止位置に押圧されるサブフレーム７と、サブフレームに第２のピン９に枢着され第２のねじりコイルばねＳ２で第２の停止位置に押圧され、掛留子が摺動する摺動面５ａ及び掛留子が摺動面上を摺動して当接する係止面５ｂを有し、施錠時には係止面がドア本体の運動方向に実質的に垂直であり、解錠時には掛留子が係止面上を摺動し当該係止面が掛留子から離間して第２のピンを枢支点として自由に回動するフック５と、施錠時に電磁ソレノイド１０が通電されてフックの回動を阻止する磁性ロック片６とを設ける。【選択図】図１
2008082051.tif 000002
【特許請求の範囲】
【請求項１】
ドア袖部（５２）に、開閉可能に設けられるドア本体（５１）に固定される掛留子（２）を備え、
前記ドア袖部に、固定されるフレーム（４）を備え、前記フレームには、解錠時には前記掛留子から離間して自由に移動するフック（５）と、施錠時に前記掛留子に係止させて前記フックの移動を阻止するロック片（６）と、前記ロック片を駆動する駆動部（１０）とを設けることを特徴とする電気錠。
【請求項２】
ドア袖部（５２）に、開閉可能に設けられるドア本体（５１）に固定される掛留子（２）と、前記ドア袖部に固定されるフレーム（４）とを備え、
前記フレームには、移動自在に装着され第１の弾性体（Ｓ１）で第１の停止位置に押圧されるサブフレーム（７）と、前記サブフレームに移動自在に装着され第２の弾性体（Ｓ２）で第２の停止位置に押圧され、前記掛留子が摺動する摺動面（５ａ）及び前記掛留子が前記摺動面上を摺動して当接する係止面（５ｂ）を有し、施錠時には前記係止面が前記ドア本体の運動方向に実質的に垂直であり、解錠時には前記掛留子が前記係止面上を摺動し当該係止面が前記掛留子から離間して自由に移動するフック（５）と、施錠時に前記フックの移動を阻止するロック片（６）とを設けることを特徴とする電気錠。
【請求項３】
ドア袖部（５２）に、開閉可能に設けられるドア本体（５１）に固定される掛留子（２）と、前記ドア袖部に固定されるフレーム（４）とを備え、
前記フレームには、第１のピン（８）に枢着され第１の弾性体（Ｓ１）で第１の停止位置に押圧されるサブフレーム（７）と、前記サブフレームに第２のピン（９）に枢着され第２の弾性体（Ｓ２）で第２の停止位置に押圧され、前記掛留子が摺動する摺動面（５ａ）及び前記掛留子が前記摺動面上を摺動して当接する係止面（５ｂ）を有し、施錠時には前記係止面が前記ドア本体の運動方向に実質的に垂直であり、解錠時には前記掛留子が前記係止面上を摺動し当該係止面が前記掛留子から離間して前記第２のピンを枢支点として自由に回動するフック（５）と、施錠時に電磁ソレノイド（１０）が通電されて前記フックの回動を阻止する磁性ロック片（６）とを設けることを特徴とする電気錠。
【請求項４】
前記サブフレーム及び前記ロック片の何れか一方は、移動させ前記ドア本体を開けるためのレバー（７１、６１）を有し、
前記ロック片により前記フックの回動が阻止されているとき、前記レバーの操作によって前記サブフレームが前記フック及び前記ロック片と共に回動し前記ドア本体を住戸内側から開扉可能とすることを特徴とする請求項２又は請求項３記載の電気錠の駆動構造。
【発明の詳細な説明】
【技術分野】
【０００１】
本発明はドアの施錠や解錠を電気的に行う電気錠に係り、特に、既設ドアに電気錠を後付けする際、ドア本体への電気配線を不要にして施工性を向上させる電気錠に関する。
【背景技術】
【０００２】
従来から、ドア本体とドア枠（ドア袖部）とから成る既設の玄関ドアに後付けすることができる電気錠が提案されている（例えば、特許文献１参照。）。この電気錠は、ドア本体に錠を駆動する駆動部が設けられ、当該ドア本体側で錠を施錠や解錠させている。
【０００３】
【特許文献１】特開２００４−１３２１５９号公報
【発明の開示】
【発明が解決しようとする課題】
【０００４】
しかしながら、ドア本体に駆動部が設けられる電気錠では、ドア本体に配線コードを収納しなければならず、また、ドア本体とドア枠との間の配線に通電金具が必要になるので、導入にかかる施工コストを上げる一因になっていた。さらに、玄関において室内側から電気錠を解錠するには、玄関ドアの近傍に電気錠解錠ボタンを設置しなければならないので、やはり導入にかかる施工コストを上げる一因になっていた。
【０００５】
本発明は、このような従来の難点を解決するためになされたもので、錠を駆動する駆動部をドア袖部に設置すると共に、室内から錠自体を手動操作することで解錠可能となるロック機構を駆動部に組み込むことで、導入にかかる施工コストを抑えることができる電気錠を提供することを目的とする。
【課題を解決するための手段】
【０００６】
上述の目的を達成する本発明の第１の態様である電気錠の駆動構造は、ドア袖部に、開閉可能に設けられるドア本体に固定される掛留子を備え、ドア袖部に、固定されるフレームを備え、フレームには、解錠時には掛留子から離間して自由に移動するフックと、施錠時に掛留子に係止させてフックの移動を阻止するロック片と、ロック片を駆動する駆動部とを設けるものである。
【０００７】
このような第１の態様による電気錠の駆動構造によれば、駆動部をドア袖部に設ける錠構造を構築できるので、ドア本体にまで配線する必要がなくなる。したがって、既設ドアに大掛かりな改造を加えることなく電気錠の後付けが可能となり、導入にかかる施工コストを抑えることができる。
【０００８】
また、本発明の第２の態様である電気錠の駆動構造は、ドア袖部に、開閉可能に設けられるドア本体に固定される掛留子と、ドア袖部に固定されるフレームとを備え、フレームには、移動自在に装着され第１の弾性体で第１の停止位置に押圧されるサブフレームと、サブフレームに移動自在に装着され第２の弾性体で第２の停止位置に押圧され、掛留子が摺動する摺動面及び掛留子が摺動面上を摺動して当接する係止面を有し、施錠時には係止面がドア本体の運動方向に実質的に垂直であり、解錠時には掛留子が係止面上を摺動し当該係止面が掛留子から離間して自由に移動するフックと、施錠時にフックの移動を阻止するロック片とを設けるものである。
【０００９】
このような第２の態様による電気錠の駆動構造によれば、施錠時にはロック片がフックの移動を阻止することから、当該フックの係止面がドア本体の運動方向に実質的に垂直になった状態でドア本体に固定された掛留子に当接するので、電気錠が施錠状態になる。また、解錠時にはロック片がフックを移動可能にさせることから、掛留子がフックの係止面上を摺動してから当該係止面が掛留子から離間するので、電気錠が解錠状態になる。さらに、フックはフレームに移動自在に装着されたサブフレームに装着されていることから、ドアが開扉されたまま電気錠が施錠状態になった時、掛留子が摺動面を摺動してフックがサブフレームと一体となって移動することでドアを開扉し、開扉後はそのまま施錠状態が維持される。
【００１０】
また、本発明の第３の態様である電気錠の駆動構造は、ドア袖部に、開閉可能に設けられるドア本体に固定される掛留子と、ドア袖部に固定されるフレームとを備え、フレームには、第１のピンに枢着され第１の弾性体で第１の停止位置に押圧されるサブフレームと、サブフレームに第２のピンに枢着され第２の弾性体で第２の停止位置に押圧され、掛留子が摺動する摺動面及び掛留子が摺動面上を摺動して当接する係止面を有し、施錠時には係止面がドア本体の運動方向に実質的に垂直であり、解錠時には掛留子が係止面上を摺動し当該係止面が掛留子から離間して第２のピンを枢支点として自由に回動するフックと、施錠時に電磁ソレノイドが通電されてフックの回動を阻止する磁性ロック片とを設けるものである。
【００１１】
このような第３の態様による電気錠の駆動構造によれば、施錠時には磁性ロック片は電磁ソレノイドが通電されてフックの回動を確実に阻止することから、当該フックの係止面がドア本体の運動方向に実質的に垂直になった状態でドア本体に固定された掛留子に当接するので、電気錠が施錠状態になる。また、解錠時には磁性ロック片は電磁ソレノイドへの通電が遮断されてロック片がフックを移動可能にさせることから、掛留子がフックの係止面上を摺動して当該フックが第２のピンを枢支点として回動して当該係止面を掛留子から離間するので、電気錠が解錠状態になる。さらに、フックはフレームに対して第１のピンに回動自在に枢着されたサブフレームに装着されていることから、ドアが開扉されたまま電気錠が電磁ソレノイドによって施錠状態になった時、掛留子が摺動面を摺動してフックがサブフレームと一体となって移動することでドアを開扉し、開扉後はそのまま施錠状態が維持される。
【００１２】
また、本発明の第４の態様は第２の態様又は第３の態様である電気錠の駆動構造においては、サブフレーム及びロック片の何れか一方は、移動させドア本体を開けるためのレバーを有し、ロック片によりフックの回動が阻止されているとき、レバーの操作によってサブフレームがフック及びロック片と共に回動しドア本体を住戸内側から開扉可能とするものである。
【００１３】
このような第４の態様による電気錠の駆動構造によれば、電気錠が施錠状態でもサブフレームを移動することでフックを掛留子から離間させることができるので、ドアを開扉することができる。即ち、電気錠が施錠状態の場合においても、サブフレームをフック及びロック片と共に回動させることが容易になるので、ドアを住戸内側から簡単に開扉することができる。したがって、住戸内側においてドアの近傍に電気錠解錠ボタンを設置する必要がなくなる。
【発明の効果】
【００１４】
本発明の電気錠によれば、錠を駆動する駆動部をドア袖部に設置すると共に、室内から錠自体を手動操作することで解錠可能となるロック機構を駆動部に組み込むことができるので、ドア本体への電気配線を不要とし、住戸内側においてドアの近傍に電気錠解錠ボタンを設置する必要がなくなる。
【００１５】
また、本発明の電気錠によれば、ドア本体への電気配線を不要とし、住戸内側においてドアの近傍に電気錠解錠ボタンを設置する必要がなくなるので、電気錠の導入にかかる施工コストを抑えることができる。
【発明を実施するための最良の形態】
【００１６】
以下、本発明を実施するための最良の実施形態について、図面を参照して説明する。参照する図１は、本発明の電気錠を示す図で、（Ａ）は底面図、（Ｂ）は（Ａ）の右側面図、（Ｃ）は（Ａ）の左側面図、（Ｄ）は（Ａ）のＡ−Ａ断面図である。図２は電気錠を取り付けた玄関ドアを示す斜視図である。図３は図２の電気錠を拡大した部分斜視図である。なお、発明を実施するための最良の形態の全体を通じて同一要素には同一参照番号を付す。
【００１７】
本発明の好ましい実施の形態例である電気錠は図２、図３に示すように、ドア本体５１とドア袖部５２とから成る既設の片開きドアである玄関ドア５０に適用するもので、ドア本体５１はドア袖部５２に対して開閉可能に設けられている。なお、図中においてドアノブ５３はドア本体５１の左側のほぼ中央部に配置され、ドア本体５１をドア袖部５２に対して回動自在に連結するヒンジ（図示せず）はドア本体５１の右側に配置されている。したがって、ドア本体５１は室内側（図中、手前側）においてドアノブ５３側から押すことで、ヒンジの支点を回転中心にして開扉することになる。
【００１８】
電気錠１は、ドア本体５１の所定位置、図中においては室内側から見て左側の上部に掛留子２が固定され、ドア袖部５２にはドア本体５１に固定された掛留子２に係合できるような位置に、ドア本体５１をドア袖部５２に固定するラッチ機構３が備えられている。
【００１９】
掛留子２は、ドア本体５１に固定されるコの字形の掛留子用フレーム２１と、掛留子用フレーム２１に形成された２つの支持アーム２１ａ、２１ｂ間に配置されるピン２２とから形成されている。なお、この掛留子２も後述するラッチ機構３の一部となる。
【００２０】
ラッチ機構３は図１に示すように、ドア袖部５２に固定されるフレーム４に組み込まれる。フレーム４には、電気錠１の解錠時に掛留子２から離間して自由に移動するフック５と、電気錠１の施錠時に掛留子２に係止させてフック５の移動を阻止するロック片６と、ロック片６を駆動する駆動部１０とを設けている。ここで、明細書中において「係止」とは、かかわり合って止めることを意味する。
【００２１】
また、フレーム４には、第１の弾性体Ｓ１で第１の停止位置に押圧されるサブフレーム７が移動自在に装着されている。このサブフレーム７は、例えばフレーム４に対して第１のピン８で枢着されて移動自在となる。ここで、明細書中において「枢着」とは回動自在に取り付けることを意味する。具体的には、フレーム４が有する２つの支持アーム４ａ、４ｂ間に第１のピン８が配置され、この第１のピン８にサブフレーム７が枢着されている。このサブフレーム７は２つの支持アーム７ａ、７ｂを有し、２つの支持アーム７ａ、７ｂ間に第２のピン９が配置され、この第２のピン９にフック５が枢着されて当該フック５が移動自在となる。
【００２２】
フック５は、掛留子２のピン２２が摺動する摺動面５ａ及び掛留子２のピン２２が摺動面５ａ上を摺動してから当接する第１の係止面５ｂを有している。このようなフック５は、電気錠１の施錠時には第１の係止面５ｂがドア本体５１の運動方向ＤＭに実質的に垂直であり、電気錠１の解錠時には掛留子２のピン２２が第１の係止面５ｂ上を摺動し当該第１の係止面５ｂが掛留子２のピン２２から離間して第２のピン９を枢支点として自由に回動するように形成されている。ここで、明細書中において「枢支」とは回動自在に支持することを意味する。また、フック５は、後述するロック片６が電気錠１の施錠時にフック５の回動を阻止する第２の係止面５ｃが形成されている。この第２の係止面５ｃと第１の係止面５ｂとは図１中において、第２のピン９を中心にして左右に振り分けられている。なお、電気錠の施錠時にロック片６によって固定されたフック５は、サブフレーム７と共に第１のピン８を枢支点として回動するので、摺動面５ａは掛留子２のピン２２が摺動しやすいように円弧状に形成されている。
【００２３】
ロック片６は、サブフレーム７の支持アーム７ａ、７ｂ間において、例えば２つが第１のピン８に枢着されている。このロック片６の先端部６ａは、図１（Ｂ）中において電気錠１が施錠時の場合に、フック５が反時計方向（左回転方向）に回転しようとすると、フック５の第２の係止面５ｃに係合しフック５の回転を阻止する。なお、電気錠１を施錠するために、２つのロック片６、６間にはそれぞれのロック片６に対応した駆動部である２つの電磁ソレノイド１０、１０がサブフレーム７の第１の一部位７ｃに固定され、ロック片６が強磁性体で構成されている。電磁ソレノイド１０は電気錠１を施錠すると通電され、ロック片６の先端部６ａがフック５の第２の係止面５ｃに係合するように当該ロック片６を引き寄せる。このような電磁ソレノイド１０に引き寄せられるロック片５を磁性ロック片とする。
【００２４】
さらに、電気錠１は、サブフレーム７を第１の弾性体Ｓ１で第１の停止位置に押圧させる。第１の停止位置とは、電気錠１を施錠した際、サブフレーム７に回動自在に装着されたフック５の第１の係止面５ｂが掛留子２のピン２２に引っ掛かるような位置で、その位置以上には押圧しないようにサブフレーム７の第１の一部位７ｃがフレーム４の一部位４ｃに当接するようになっている。具体的には図１（Ｃ）に示すように、第１の弾性体である第１のねじりコイルばねＳ１が第１のピン８に対して覆うように嵌め込まれている。この第１のねじりコイルばねＳ１の一方の腕Ｓ１ａがフレーム４の一部位４ｃに固定され他方の腕Ｓ１ｂがサブフレーム７に固定されることで、第１のねじりコイルばねＳ１はサブフレーム７を図１（Ｃ）中において、反時計方向に弾性力を付与することができる。
【００２５】
また、フック５を第２の弾性体Ｓ２で第２の停止位置に押圧させる。第２の停止位置とは、電気錠１を施錠した際、フック５の第１の係止面５ｂがドア本体５１の運動方向に実質的に垂直になるような位置で、その位置以上には押圧しないようにフック５の第１の係止面５ｂがサブフレーム７の第２の一部位７ｄに当接するようになっている。具体的には図１（Ｃ）に示すように、第２の弾性体である第２のねじりコイルばねＳ２が第２のピン９に対して覆うように嵌め込まれている。この第２のねじりコイルばねＳ２の一方の腕Ｓ２ａがサブフレーム７の第２の一部位７ｄに固定され他方の腕Ｓ２ｂがフック５の第２の係止面５ｃ側に固定されることで、第２のねじりコイルばねＳ２はフック５を図１（Ｃ）中において、反時計方向に弾性力を付与することができる。
【００２６】
また、磁性ロック片６を第３の弾性体Ｓ３で第３の停止位置に押圧させる。第３の停止位置とは、電気錠１を解錠した際、磁性ロック片６の先端部６ａがフック５の第２の係止面５ｃと係合不可能となるような位置で、その位置以上には押圧しないように磁性ロック片６の一部位がサブフレーム７の第３の一部位７ｅに当接するようになっている。したがって、第３の弾性体Ｓ３の弾性力は、電磁ソレノイド１０が通電されると磁性ロック片６が引き寄せられるような強さに設定される。具体的には図１（Ｂ）に示すように、第３の弾性体である第３のねじりコイルばねＳ３が第１のピン８に対して覆うように嵌め込まれている。この第３のねじりコイルばねＳ３の一方の腕Ｓ３ａがサブフレーム７の第１の一部位７ｃに固定され他方の腕Ｓ３ｂが磁性ロック片６に固定されることで、ねじりコイルばねＳ３は磁性ロック片６を図１（Ｂ）中において、反時計方向に弾性力を付与することができる。
【００２７】
このように構成された電気錠１の解錠・施錠動作について、図４〜図８に基づき説明する。図４は電気錠が施錠時の状態を示す図で、（Ａ）は底面図、（Ｂ）は（Ａ）のＡ−Ａ断面図である。図５は電気錠解錠ボタンが解錠されている場合の電気錠の状態を示す図で、（Ａ）は底面図、（Ｂ）は（Ａ）のＡ−Ａ断面図である。図６は電気錠が解錠途中の状態を示す図で、（Ａ）は底面図、（Ｂ）は（Ａ）のＡ−Ａ断面図である。図７は電気錠が施錠途中の状態を示す図で、（Ａ）は底面図、（Ｂ）は（Ａ）のＡ−Ａ断面図である。図８は電気錠を手動解錠した状態を示す図で、（Ａ）は底面図、（Ｂ）は（Ａ）のＡ−Ａ断面図である。
【００２８】
なお、電気錠なので、親機が室内に、子機が玄関外に設置されたインターホン装置が既設されている場合には、親機自体あるいは親機近傍と共に子機の近傍に電気錠解錠ボタン（図示せず）が設けられる。さらに、図４〜図８においては便宜上、ドア本体５１及びドア袖部５２は簡略化してある。
【００２９】
電気錠１が施錠されている場合には図４に示すように、サブフレーム７は第１のピン８を回転中心にして第１のねじりコイルばねＳ１（図１（Ｃ）参照）で時計方向（右回転方向）に回転するように弾性力が付与されている。また、フック５は第２のピン９を回転中心にして第２のねじりコイルばねＳ２（図１（Ｃ）参照）で時計方向に回転するように弾性力が付与されている。さらに、磁性ロック片６は、第３のねじりコイルばねＳ３による反時計方向の回転を阻止するように第１のピン８を回転中心にして電磁ソレノイド１０で時計方向に回転するように引き寄せられている。
【００３０】
このような状態の電気錠１を解錠するために電気錠解錠ボタンで解錠操作すると図５に示すように、電磁ソレノイド１０への通電が遮断されるので、磁性ロック片６は第１のピン８を回転中心にして第３のねじりコイルばねＳ３（図１（Ｂ）参照）の弾性力により反時計方向に回転して、第３の停止位置まで移動する。そして、玄関ドア５０のドア本体５１をドアノブ５３を操作して開扉すると図６に示すように、掛留子２のピン２２がフック５の第１の係止面５ｂを押して、当該フック５を第２のねじりコイルばねＳ２（図１（Ｃ）参照）の弾性力に抗して反時計方向に回転させようとする。この時、磁性ロック片６が第３の停止位置まで移動していることから、フック５の第２の係止面５ｃは磁性ロック片６の先端部６ａには係合しないので、掛留子２のピン２２はフック５の第１の係止面５ｂ上を摺動しながら当該フック５を反時計方向に回転させる。したがって、掛留子２のピン２２の移動を妨げることはないので、玄関ドア５０を開扉することができる。
【００３１】
次に、開扉された玄関ドア５０を閉扉すると図７に示すように、掛留子２のピン２２がフック５の摺動面５ａを摺動する。この時、フック５の摺動面５ａが円弧状で、このフック５がサブフレーム７の第２の一部位７ｄに係止され、而も掛留子２のピン２２がフック５の摺動面５ａに当接する位置が、図７（Ｂ）中、フック５の枢支点である第２のピン９より左側になる。したがって、フック５が係止されたサブフレーム７は、掛留子２のピン２２に押されるので、第１のねじりコイルばねＳ１（図１（Ｃ）参照）の弾性力に抗して反時計方向に回転する。そして、掛留子２のピン２２がフック５の摺動面５ａから外れると、サブフレーム７は第１のねじりコイルばねＳ１（図１（Ｃ）参照）の弾性力により時計方向に回転して第１の停止位置まで移動するので、掛留子２のピン２２はフック５の第１の係止面５ｂに係合可能となる。また、玄関ドア５０を開扉後は、電気錠１は電磁ソレノイド１０を通電状態にしていることから、磁性ロック片６は第１のピン８を回転中心にして時計方向に回転するように引き寄せられている。この状態で、玄関ドア５０を開扉しようとしても図４に示すように、磁性ロック片６の先端部６ａがフック５の第２の係止面５ｃに係合可能になっているので、フック５は反時計方向には回転できない。したがって、掛留子２のピン２２の移動は妨げられるので、玄関ドア５０を開扉することはできない。
【００３２】
最後に、本発明の特徴である閉扉された玄関ドア５０の電気錠１を室内側から手動で解錠する場合について図８を参照して説明する。なお、玄関ドア５０は閉扉されているので、電気錠１は施錠状態で磁性ロック片６が電磁ソレノイド１０に引き寄せられている。
【００３３】
サブフレーム７を図８（Ｂ）に示すように、第１のねじりコイルばねＳ１（図１（Ｃ）参照）の弾性力に抗して反時計方向に回転させると、第２の係止面５ｃが磁性ロック片６の先端部６ａに係合しているフック５の第１の係止面５ｂを、掛留子２のピン２２から離間させることができるので、掛留子２のピン２２の移動を妨げることはないので、玄関ドア５０を開扉することができる。また、磁性ロック片６を図８（Ｂ）に示すように、反時計方向に回転させると、電気錠１は施錠状態で磁性ロック片６が電磁ソレノイド１０に引き寄せられているので、サブフレーム７自体が第１のねじりコイルばねＳ１（図１（Ｃ）参照）の弾性力に抗して反時計方向に回転する。したがって、掛留子２のピン２２からフック５の第１の係止面５ｂを離間させることができるので、掛留子２のピン２２の移動を妨げることはないので、玄関ドア５０を開扉することができる。
【００３４】
なお、図８（Ｂ）に示すように、電気錠１を室内側から手動で解錠するにあたり、サブフレーム７及び磁性ロック片６の何れか一方に、玄関ドア５０のドア本体５１を開けるためのレバー７１あるいはレバー６１を設ければ、磁性ロック片６によりフック５の回動が阻止されているとき、レバー７１あるいはレバー６１の操作によってサブフレーム７がフック５及び磁性ロック片６と共に回動し玄関ドア５０を住戸内側から開扉可能となる。このように、サブフレーム７及び磁性ロック片６の何れか一方にレバー７１あるいはレバー６１を設けることで、サブフレーム７をフック５及び磁性ロック片６と共に回動させることが容易になる。
【００３５】
このような電気錠１は、電気錠１のラッチ機構３をドア袖部５２に設けることで、ドア本体５１にまで配線する必要がなくなる。したがって、既設の玄関ドア５０に大掛かりな改造を加えることなく電気錠１の後付けが可能となり、電気錠１の導入にかかる施工コストを抑えることができる。また、ラッチ機構３で機械的に電気錠１を解錠できるので、住戸内側において玄関ドア５０の近傍に電気錠解錠ボタンを設置する必要がなくなる。
【００３６】
なお、掛留子２及びフック５は、ラッチ機能を有する構造であればどのような形状のものでもよい。また、電気錠１は玄関ドア５０の上部に設置したが、レバー７１あるいはレバー６１を操作しやすくするためにドアノブ５３の近傍に設置してもよい。
【００３７】
また、上述した実施形態例においては電気錠を玄関ドアに適用したが、これに限らず、勝手口や居室内等に設置されたドアでもよいことは言うまでもない。さらに、上述した実施形態例においては玄関ドアに片開きドアを適用したが、これに限らず、両開きドア、片引き戸、両引き戸でもよい。片引き戸、両引き戸の場合には掛留子がフレームの据付面方向に直線移動することになるだけなので、電気錠は上述した片開きドアと同様の動作をすることになる。
【００３８】
また、上述した実施形態例においては電気錠をインターホン装置と連動させたが、インターホン装置が設置されていない住居にも適用できる。
【００３９】
これまで本発明について図面に示した特定の実施の形態をもって説明してきたが、本発明は図面に示した特定の実施の形態に限定されるものではなく、本発明の効果を奏する限り、これまで知られたいかなる構成であっても採用することができることはいうまでもないことである。
【図面の簡単な説明】
【００４０】
【図１】本発明の電気錠における好ましい実施の形態例を示す説明図である。
【図２】本発明の電気錠を取り付けた玄関ドアを示す斜視図である。
【図３】図２の電気錠を拡大した部分斜視図である。
【図４】電気錠が施錠時の状態を示す説明図である。
【図５】電気錠解錠ボタンが解錠されている場合の電気錠の状態を示す説明図である。
【図６】電気錠が解錠途中の状態を示す説明図である。
【図７】電気錠が施錠途中の状態を示す説明図である。
【図８】電気錠を手動解錠した状態を示す説明図である。
【符号の説明】
【００４１】
１……電気錠
２……掛留子
４……フレーム
５……フック
５ａ……摺動面
５ｂ……係止面
６……磁性ロック片（ロック片）
６１……レバー
７……サブフレーム
７１……レバー
８……第１のピン
９……第２のピン
１０……電磁ソレノイド（駆動部）
５１……ドア本体
５２……ドア袖部
Ｓ１……第１の弾性体
Ｓ２……第２の弾性体
【図１】
2008082051.tif 000003
【図２】
2008082051.tif 000004
【図３】
2008082051.tif 000005
【図４】
2008082051.tif 000006
【図５】
2008082051.tif 000007
【図６】
2008082051.tif 000008
【図７】
2008082051.tif 000009
【図８】
2008082051.tif 000010